(57)【要約】【課題】指針計器において、回動位置による指針の発光輝度の変動を簡易に抑える。【解決手段】指針計器１は、開口部２３を有する文字盤２と、文字盤２の背後から文字盤２の目視側へ開口部２３を通して指針シャフト４１を延出する回動内機４と、文字盤２の目視側前面に沿って回動するように指針シャフト４１の先端側に固定された指針３と、指針３を発光させる光源５と、光源５が発した光を指針３内に導く導光部６とを備え、導光部６が、光源５が発した光を開口部２３を通して指針３へ出射する出射部６１を備え、指針３が、出射部６１からの出射光を受光する受光部３１を備え、出射部６１と開口部２３と受光部３１が、指針３が回動する範囲において、指針シャフト４１の軸方向から見て重なるように構成され、開口部２３の形状が、重なる部位における出射部６１からの出射光の光度が回動範囲において略一定になるように決定されている。【選択図】図３
2008008715.tif 000002
【特許請求の範囲】
【請求項１】
開口部を有する文字盤と、
前記文字盤の背後に配設され、且つ、該背後側から該文字盤の目視側へ前記開口部を通して指針シャフトを延出する回動内機と、
透光性樹脂材から形成され、且つ、前記文字盤の目視側前面に沿って回動するように前記指針シャフトの先端側に固定された指針と、
前記文字盤の背後に配設され、且つ、前記指針を発光させる光源と、
前記文字盤の背後に配設され、且つ、前記光源が発した光を前記指針内に導く導光部とを備え、
前記導光部は、前記光源が発した光を前記開口部を通して前記指針へ出射する出射部を備え、
前記指針は、前記出射部からの出射光を受光する受光部を備え、
前記出射部と前記開口部と前記受光部は、前記指針が回動する範囲において、前記指針シャフトの軸方向から見て重なるように構成され、
前記開口部の形状は、前記重なる部位における前記出射部からの出射光の光度が前記回動範囲において略一定になるように、決定されていることを特徴とする指針計器。
【請求項２】
前記重なる部位における前記出射部からの出射光の輝度を、シミュレーション計算によって算出し、
前記重なる部位における前記光度を、前記算出値と該重なる部位の面積との積として算出していることを特徴とする請求項１に記載の指針計器。
【請求項３】
前記重なる部位における前記出射部からの出射光の輝度を、輝度計測手段によって計測し、
前記重なる部位における前記光度を、前記計測値と該重なる部位の面積との積として算出していることを特徴とする請求項１に記載の指針計器。
【請求項４】
開口部を有する文字盤と、該文字盤の背後に配設され且つ該背後側から該文字盤の目視側へ該開口部を通して指針シャフトを延出する回動内機と、透光性樹脂材から形成され且つ該文字盤の目視側前面に沿って回動するように該指針シャフトの先端側に固定された指針と、該文字盤の背後に配設され且つ該指針を発光させる光源と、該文字盤の背後に配設され且つ該光源が発した光を該指針内に導く導光部とを備え、該導光部が、該光源が発した光を該開口部を通して該指針へ出射する出射部を備え、該指針が、該出射部からの出射光を受光する受光部を備え、該出射部と該開口部と該受光部とが、該指針が回動する範囲において、該指針シャフトの軸方向から見て重なるように構成された指針計器の製造方法であって、
前記重なる部位における前記出射部からの出射光の輝度を求める第１工程と、
前記重なる部位における前記出射部からの出射光の光度を、前記第１工程で求めた前記輝度と該重なる部位の面積との積として算出する第２工程と、
該開口部の形状を、前記第２工程で算出した前記光度が前記回動範囲において略一定になるように決定する第３工程とを備えることを特徴とする指針計器の製造方法。
【発明の詳細な説明】
【技術分野】
【０００１】
本発明は、発光する指針を備えた指針計器およびその製造方法に関するものである。
【背景技術】
【０００２】
従来より、発光する指針を備えた指針計器が車両用指針計器として採用されている。
【０００３】
例えば、互いに発光色の異なる複数の光源を指針用光源として用いると共に、これらの指針用光源によって、文字盤を透過照明する指針計器が開示されている（特許文献１を参照）。
【０００４】
この指針計器は、互いに発光色の異なる複数の光源から構成された光源と、導光部と、各光源の発光輝度を調整する調整手段とを備える。光源と導光部は、文字盤の背後に配設され、導光部は、光源の発する光を指針内に導いて指針を発光させる筒状部と、光源の発する光を文字盤へ導いて文字盤を透過照明させる板状部とを備える。
【０００５】
この構成では、光源の発する光は、各光源の発光輝度が調整手段によって調整され、混色光とされる。この混色光は、導光部の筒状部によって指針内へ導かれて指針を混色光で発光させ、導光部の板状部によって文字盤の背面へ導かれて文字盤を混色光で透過照明させる。
【０００６】
これにより、この混色光の色を調整手段によって任意に変えることができるため、指針の発光色と文字盤の透過照明の色を任意に変えることができ、この結果、斬新な表示が可能な指針計器を提供できる。
【特許文献１】特開２００１−２０８５７３号公報
【発明の開示】
【発明が解決しようとする課題】
【０００７】
特許文献１では記述されていないが、指針が文字盤の目視側前面に沿って回動するため、指針内に導かれる光源の発する光の輝度が、指針の回動位置によって変動する恐れがある。この変動により、指針の発光輝度が指針の回動位置によって変動するという問題が生じ、この変動を抑えるため、様々な対策がなされている。例えば、光源の個数を増加し、その配置に工夫を凝らし、導光部の筒状部の形状等に工夫を凝らしている。
【０００８】
しかし、これらの対策では、光源の個数の増加や、導光部の形状が複雑化する等により、指針計器の製造コストが増加するという問題が生じる。また、光源の個数を増加する必要があることや、導光部の形状に工夫を凝ら必要があることや、光源の配置に工夫を凝ら必要があることにより、設計上の制約が生じるという問題も生じる。
【０００９】
これらの問題は、指針用光源によって文字盤を透過照明する場合に限るものではなく、互いに発光色の異なる複数の光源を指針用光源として用いる場合に限るものではなく、文字盤の目視側前面に沿って回動する指針を発光させる指針計器に共通する問題である。
【００１０】
本発明は、上記点に鑑みてなされたものであり、発光する指針を備えた指針計器およびその製造方法において、回動位置による指針の発光輝度の変動を、簡易に抑えることを目的とする。
【課題を解決するための手段】
【００１１】
本発明は上記目的を達成するため、以下の技術的手段を採用する。
【００１２】
請求項１に記載の指針計器は、開口部を有する文字盤と、文字盤の背後に配設され且つ背後側から文字盤の目視側へ開口部を通して指針シャフトを延出する回動内機と、透光性樹脂材から形成され且つ文字盤の目視側前面に沿って回動するように指針シャフトの先端側に固定された指針と、文字盤の背後に配設され且つ指針を発光させる光源と、文字盤の背後に配設され且つ光源が発した光を指針内に導く導光部とを備え、導光部が、光源が発した光を開口部を通して指針へ出射する出射部を備え、指針が、出射部からの出射光を受光する受光部を備え、出射部と開口部と受光部が、指針が回動する範囲において、指針シャフトの軸方向から見て重なるように構成され、開口部の形状が、重なる部位における出射部からの出射光の光度が回動範囲において略一定になるように決定されていることを特徴とする。
【００１３】
この構成では、開口部の形状が、出射部と開口部と受光部とが重なる部位における出射部からの出射光の光度が、指針の回動範囲において略一定になるように決定されている。この重なる部位における光度は、原理上、この重なる部位における出射部からの出射光の輝度とこの重なる部位の面積の積として算出される。また、指針の発光輝度は、指針内に導かれる出射部からの出射光の光度によって決定される。
【００１４】
これらの結果、指針内に導かれる出射部からの出射光の輝度が指針の回動位置によって変動しても、指針内に導かれる出射部からの出射光の光度を略一定にできるため、指針の発光輝度を略一定に保つことができる。即ち、回動位置による指針の発光輝度の変動を、開口部の形状という簡易な構成によって、簡易に抑えることができる。
【００１５】
請求項２に記載の指針計器は、重なる部位における出射部からの出射光の輝度を、シミュレーション計算によって算出し、重なる部位における光度を、算出値と重なる部位の面積との積として算出していることを特徴とする。
【００１６】
この構成でも、上述の効果を得ることができる。
【００１７】
請求項３に記載の指針計器は、重なる部位における出射部からの出射光の輝度を、輝度計測手段によって計測し、重なる部位における光度を、計測値と重なる部位の面積との積として算出していることを特徴とする。
【００１８】
この構成でも、上述の効果を得ることができる。
【００１９】
請求項４に記載の指針計器の製造方法は、開口部を有する文字盤と、文字盤の背後に配設され且つ背後側から文字盤の目視側へ開口部を通して指針シャフトを延出する回動内機と、透光性樹脂材から形成され且つ文字盤の目視側前面に沿って回動するように指針シャフトの先端側に固定された指針と、文字盤の背後に配設され且つ指針を発光させる光源と、文字盤の背後に配設され且つ光源が発した光を指針内に導く導光部とを備え、導光部が、光源が発した光を開口部を通して指針へ出射する出射部を備え、指針が、出射部からの出射光を受光する受光部を備え、出射部と開口部と受光部とが、指針が回動する範囲において、指針シャフトの軸方向から見て重なるように構成された指針計器の製造方法であって、重なる部位における出射部からの出射光の輝度を求める第１工程と、重なる部位における出射部からの出射光の光度を、第１工程で求めた輝度と重なる部位の面積との積として算出する第２工程と、開口部の形状を、第２工程で算出した光度が回動範囲において略一定になるように決定する第３工程とを備えることを特徴とする。
【００２０】
この製造方法では、出射部と開口部と受光部とが重なる部位における出射部からの出射光の輝度を、第１工程で求め、重なる部位における出射部からの出射光の光度を、第１工程で求めた輝度と重なる部位の面積との積として第２工程で算出し、開口部の形状を、第２工程で算出した光度が指針の回動範囲において略一定になるように第３工程で決定する。
【００２１】
これにより、指針内に導かれる出射部からの出射光の輝度が、指針の回動位置によって変動しても、指針内に導かれる出射部からの出射光の光度が略一定になるため、指針の発光輝度は、略一定に保たれる。即ち、回動位置による指針の発光輝度の変動を、開口部の形状を決定するという簡易な方法によって、簡易に抑えることができる。
【発明を実施するための最良の形態】
【００２２】
以下、本発明による指針計器を、自動車に搭載されるコンビネーションメータに適用した場合を例に図面に基づいて説明する。
【００２３】
（構成）
図１は、本発明の一実施形態による指針計器であるコンビネーションメータ１の部分正面図である。
【００２４】
図２は、図１中のＩＩ−ＩＩ線断面図である。
【００２５】
図３（ａ）は、図２中のＩＩＩＡ部の拡大図であり、図３（ｂ）は、図１において指針３を取り外した状態のＩＩＩＢ部の拡大図である。
【００２６】
図４（ａ）は、図３に示す出射部６１と開口部２３と受光部３１とが重なる部位と指針３の回動位置との関係を説明するための模式図であり、図４（ｂ）は、重なる部位における出射部６１からの出射光の輝度および重なる部位の面積と指針３の回動位置との関係を説明するための模式的グラフ図である。
【００２７】
図５は、本発明の一実施形態によるコンビネーションメータ１の電気回路を説明する回路構成図である。
【００２８】
指針計器であるコンビネーションメータ１は、自動車の運転席前方に配置されて当該自動車に関する各種車両情報を表示する。本実施形態によるコンビネーションメータ１は、図１に示すように、自動車の走行速度を指示する速度計を形成する。
【００２９】
コンビネーションメータ１は、情報を表示して運転者に視認させるための文字盤２を備える。文字盤２は、透光性を有する材料、たとえば透明なポリカーボネート樹脂等の板材から形成され、速度計としての文字（数字を含む）２１と目盛２２が設けられる。
【００３０】
文字盤２の目視側の面（図２において上側の面）に、文字２１と目盛２２が、例えば白色の透光状態になるように、これらの背景部がつや消しの、例えば青色の不透光状態（または、つや消しの透光性が低い状態）になるように、印刷あるいはホットスタンプにより形成される。
【００３１】
文字盤２の背後（図２において下側）に、回動内機であるムーブメント４、光源である２個の発光ダイオード５（図３（ｂ））、導光部６、ケース７、および、コンビネーションメータ１の電気回路部を構成するプリント基板８が配置される。ムーブメント４、発光ダイオード５、および、ムーブメント４を駆動し且つ発光ダイオード５を点燈・消燈する制御装置９（図５）が、プリント基板８に実装される。制御装置９は、たとえばマイクロコンピュータ等から構成される。
【００３２】
ムーブメント４は、例えば交差コイル式ムーブメント、あるいはステッピングモータ等から構成され、外部からの電気信号（本実施形態によるコンビネーションメータ１においては車速信号）に対応した角度だけ指針シャフトであるシャフト４１を回動させるものである。
【００３３】
開口部２３が文字盤２の略中央部に設けられ、シャフト４１が、文字盤２の背後側（図２において下側）のムーブメント４から文字盤２の目視側（図２において上側）へ開口部２３を通して延出する。シャフト４１の先端側に、指針３が固定され、ムーブメント４がシャフト４１を回動することによって、指針３を文字盤２の目視側前面（図２において上側の面）に沿って回動する。
【００３４】
導光部６は、透明なアクリル樹脂等の透光性樹脂材から形成され、ケース７によって支持および固定されるように構成される。導光部６は、発光ダイオード５が発した光を指針３内に導いて指針３を発光させると共に、発光ダイオード５が発した光を文字盤２の背面側（図２において下側の面）に導いて文字盤２を透過照明させるものである。
【００３５】
導光部６は、図３に示すように、シャフト４１を覆うように筒状に形成された円筒部６２を備え、円筒部６２の目視側の面（図３（ａ）において上側の面）を、発光ダイオード５が発した光を開口部２３を通して指針３へ出射する出射部６１とする。
【００３６】
ここで、指針３が回動する範囲は、指針３が文字２１の「０」に対応する目盛２２を指し示す回動位置と指針３が文字２１の「２４０」に対応する目盛２２を指し示す回動位置の間の範囲である。
【００３７】
この回動範囲おいて、出射部６１からの出射光の輝度（カンデラ／平方メートル（ｃｄ／ｍ２））は、指針３の回動位置によって変動する。具体的に、出射部６１からの出射光の輝度は、図４（ｂ）に示すように、発光ダイオード５が配置されている回動位置で、即ち、「６０」と「１８０」の回動位置で高くなり、これらの回動位置から離れた回動位置で低くなる。これは、発光ダイオード５が、図３（ｂ）と図４（ａ）に示すように、「６０」と「１８０」の回動位置に配置されているためである。
【００３８】
図４（ｂ）に示す輝度と回動位置との関係を、輝度計測手段（コニカミノルタセンシング株式会社製の２次元輝度計  ＣＡ−１５００ＨＭＫ）によって求めているが、シミュレーション計算よって求めることも可能である。
【００３９】
指針３は、透明なアクリル樹脂等の透光性樹脂材から形成され、出射部６１からの出射光を受光する受光部３１と、受光部３１からの導入光を指針３の先端側へ反射する反射部３２とを備える。指針３は、反射部３２からの反射光によって所定の色で発光するように形成される。尚、出射部６１と受光部３１を、他の部位と区別するため、図３（ａ）において太線で示す。
【００４０】
図１と図２に示す遮光キャップ３３は、発光ダイオード５からの光が運転者の目に直接入射することを防止するものであり、例えば、遮光性を有する樹脂あるいは金属板等から形成される。
【００４１】
コンビネーションメータ１は、図４（ａ）に示すように、出射部６１と開口部２３と受光部３１（３１Ａ，３１Ｂ）とが、指針３が回動する範囲において、シャフト５の軸方向から見て重なるように構成される。例えば、受光部３１Ａは、指針３が文字２１の「０」に対応する目盛２２を指し示す回動位置に対応し、受光部３１Ｂは、指針３が指針３が文字２１の「１８０」に対応する目盛２２を指し示す回動位置に対応する。
【００４２】
指針３が「０」の回動位置において出射部６１と開口部２３と受光部３１とが重なる部位を、受光部３１Ａ内の斜線部で示し、指針３が文字２１の「１８０」の回動位置において出射部６１と開口部２３と受光部３１とが重なる部位を、受光部３１Ｂ内の斜線部で示す。尚、この重なる部位を、図３（ｂ）において、受光部３１内の斜線部で示す。
【００４３】
この重なる部位の面積が発光ダイオード５が配置されている回動位置で、即ち、「６０」と「１８０」の回動位置で小さくなるように、開口部２３の形状を、図３（ｂ）と図４（ａ）に示すように決定する。具体的に、この重なる部位の面積が、図４（ｂ）に示すように、「６０」と「１８０」の回動位置で小さくなり、これらの回動位置から離れた回動位置で大きくなるように、開口部２３の形状を決定する。
【００４４】
ここで、指針３の発光輝度は、指針３内に導かれる出射部６１からの出射光の光度（カンデラ（ｃｄ））によって決定される。即ち、指針３の発光輝度は、出射部６１と開口部２３と受光部３１とが重なる部位における出射部６１からの出射光の光度によって決定される。これは、受光部３１が、この重なる部位を除いた出射部６１からの出射光を、文字盤２に妨げられることによって受光できないからである。
【００４５】
重なる部位における出射部６１からの出射光の光度は、原理上、重なる部位における出射部６１からの出射光の輝度と重なる部位の面積の積として算出される。上述したように、出射部６１からの出射光の輝度が「６０」と「１８０」の回動位置で高くなるのに対して、重なる部位の面積が「６０」と「１８０」の回動位置で小さくなるように開口部２３の形状を決定している。これにより、重なる部位における出射部６１からの出射光の光度が、指針３の回動範囲において略一定になる。
【００４６】
即ち、重なる部位における出射部６１からの出射光の光度が指針３の回動範囲において略一定になるように、開口部２３の形状が決定される。この結果、指針３内に導かれる出射部６１からの出射光の輝度が、指針３の回動位置によって変動しているのに対して、指針３内に導かれる出射部６１からの出射光の光度を、指針３の回動範囲において略一定にできる。
【００４７】
以上、重なる部位における出射部６１からの出射光の輝度を求め、重なる部位における出射部からの出射光の光度を、この求めた輝度と重なる部位の面積との積として算出する。この算出した光度が指針３の回動範囲において略一定になるように、開口部２３の形状を、決定する。
【００４８】
これにより、指針３内に導かれる出射部６１からの出射光の光度を、指針３の回動範囲において略一定にできるため、指針の発光輝度を、略一定に保つことが可能となる。この結果、回動位置による指針３の発光輝度の変動を、開口部２３の形状という簡易な構成によって、簡易に抑えることができる。
【００４９】
以上説明した、本実施形態によるコンビネーションメータ１の電気回路構成について、図５に基づいて説明する。
【００５０】
制御装置９には、バッテリ１２から電力が常時供給される。イグニッションスイッチ１１が、その作動状態（オンまたはオフ）を検出可能に接続され、当該自動車の走行速度を検出する速度センサ１０が検出信号を入力可能に接続される。また、制御装置９には、発光ダイオード５とムーブメント４も接続される。
【００５１】
以下に、上記構成において、本発明の一実施形態による指針計器であるコンビネーションメータ１の作動について説明する。
【００５２】
（作動）
運転者によってイグニッションスイッチ１１がオンされると、制御装置９は、それを検出して作動を開始する。即ち、図４において、速度センサ１０からの出力信号に基づき、当該自動車の車速を算出し、これに対応した角度だけシャフト４１を回動させるように、ムーブメント４を駆動する。
【００５３】
また、制御装置９は、発光ダイオード５を点燈する。点燈した発光ダイオード５の光は、図２に示すように、導光部６によって導かれ、光路Ｐ１に従って指針３を発光させ、光路Ｐ２に従って文字盤２を透過照明する。
【００５４】
以下、指針３の発光について述べる。
【００５５】
点燈した発光ダイオード５の光は、図３に示す光路Ｐ１１に従って導光部６に導かれて指針３に入射し、図２に示す光路Ｐ１に従って指針３の先端側へ導かれて目視側（図２において上側）へ反射する。これによって、指針３を発光させる。具体的に、発光ダイオード５からの光は、導光部６に入射し、出射部６１から開口部２３を通して指針３の受光部３１へ出射する。受光部３１からの入射光は、反射部３２によって指針３の先端側へ反射し、指針３を発光させる。
【００５６】
上述したように、指針３の発光輝度は、出射部６１と開口部２３と受光部３１とが重なる部位における出射部６１からの出射光の光度によって決定される。また、この重なる部位における出射部６１からの出射光の光度が指針３の回動範囲において略一定になるように、開口部２３の形状が決定されている。これにより、指針３内に導かれる出射部６１からの出射光の輝度が、指針３の回動位置によって変動しているのに対して、指針３内に導かれる出射部６１からの出射光の光度を、指針３の回動範囲において略一定にできる。
【００５７】
この結果、回動位置による指針３の発光輝度の変動を、開口部２３の形状という簡易な構成によって、簡易に抑えることができる。
【００５８】
（変形例）
図６は、図３の変形例を示す拡大図である。
【００５９】
図７（ａ）は、図６に示す出射部６１と開口部２３と受光部３１とが重なる部位と指針３の回動位置との関係を説明するための模式図であり、図７（ｂ）は、重なる部位における出射部６１からの出射光の輝度および重なる部位の面積と指針３の回動位置との関係を説明するための模式的グラフ図である。
【００６０】
本変形例では、図６に示すように、図７（ａ）において「６０」と「１８０」の間の回動範囲における出射部６１からの出射光の輝度を高めるために、反射部６３を導光部６に形成し、これにより、開口部２３を図３に示す形状と異なる形状で形成する。
【００６１】
尚、出射部６１と反射部６３と受光部３１を、他の部位と区別するため、図６と図７（ａ）において太線で示す。
【００６２】
また、指針３が「０」の回動位置において出射部６１と開口部２３と受光部３１とが重なる部位を、受光部３１Ａ内の斜線部で示し、指針３が文字２１の「１２０」の回動位置において出射部６１と開口部２３と受光部３１とが重なる部位を、受光部３１Ｂ内の斜線部で示す。
【００６３】
反射部６３は、導光部６に入射した発光ダイオード５の発する光を、図６に示す光路Ｐ１２に従って、出射部６１において領域Ａへ反射するものである。領域Ａは、発光ダイオード５が配置された「６０」と「１８０」の回動位置の間に配置される。反射部６３により、出射部６１からの出射光の輝度は、図７（ｂ）に示すように、図４（ｂ）に示した上述の例と異なり、領域Ａの回動位置で、即ち、「８０」と「１６０」の間の回動範囲で高くなる。
【００６４】
これにより、この重なる部位の面積が、図７（ｂ）に示すように、図４（ｂ）に示した上述の例と異なり、「８０」と「１６０」の間の回動範囲で小さくなるように、開口部２３の形状を決定する。このため、指針３内に導かれる出射部６１からの出射光の光度を、指針３の回動範囲において略一定にできるため、指針の発光輝度を、略一定に保つことが可能となる。
【００６５】
この結果、本変形例でも、回動位置による指針３の発光輝度の変動を、開口部２３の形状という簡易な構成によって、簡易に抑えることができる。
【００６６】
尚、発光ダイオード５の個数や配置、および、導光部６の構造等を変更すれば、指針３内に導かれる出射部６１からの出射光の輝度が指針３の回動位置によって変動する。この場合でも、指針３内に導かれる出射部６１からの出射光の光度を、指針３の回動範囲において略一定にできるように、開口部２３の形状を決定する。これにより、回動位置による指針３の発光輝度の変動を、開口部２３の形状という簡易な構成によって、簡易に抑えることができる。
【００６７】
以上、以上説明した本発明の一実施形態による指針計器であるコンビネーションメータ１は、開口部２３を有する文字盤２と、文字盤２の背後に配設され且つ背後側から文字盤２の目視側へ開口部２３を通して指針シャフトであるシャフト４１を延出する回動内機であるムーブメント４と、透光性樹脂材から形成され且つ文字盤２の目視側前面に沿って回動するようにシャフト４１の先端側に固定された指針３と、文字盤２の背後に配設され且つ指針３を発光させる光源である発光ダイオード５と、文字盤２の背後に配設され且つ発光ダイオード５が発した光を指針３内に導く導光部６とを備え、導光部６が、発光ダイオード５が発した光を開口部２３を通して指針３へ出射する出射部６１を備え、指針３が、出射部６１からの出射光を受光する受光部３１を備え、出射部６１と開口部２３と受光部３１が、指針３が回動する範囲において、シャフト４１の軸方向から見て重なるように構成され、開口部２３の形状が、重なる部位における出射部６１からの出射光の光度が回動範囲において略一定になるように決定されている。
【００６８】
これにより、回動位置による指針３の発光輝度の変動を、開口部２３の形状という簡易な構成によって、簡易に抑えることができる。
【００６９】
尚、上述の例に限らず、種々の変形例が考えられる。
【図面の簡単な説明】
【００７０】
【図１】図１は、本発明の一実施形態による指針計器であるコンビネーションメータ１の部分正面図である。
【図２】図２は、図１中のＩＩ−ＩＩ線断面図である。
【図３】図３（ａ）は、図２中のＩＩＩＡ部の拡大図であり、図３（ｂ）は、図１において指針３を取り外した状態のＩＩＩＢ部の拡大図である。
【図４】図４（ａ）は、図３に示す出射部６１と開口部２３と受光部３１とが重なる部位と指針３の回動位置との関係を説明するための模式図であり、図４（ｂ）は、重なる部位における出射部６１からの出射光の輝度および重なる部位の面積と指針３の回動位置との関係を説明するための模式的グラフ図である。
【図５】図５は、本発明の一実施形態によるコンビネーションメータ１の電気回路を説明する回路構成図である。
【図６】図６は、図３の変形例を示す拡大図である。
【図７】図７（ａ）は、図６に示す出射部６１と開口部２３と受光部３１とが重なる部位と指針３の回動位置との関係を説明するための模式図であり、図７（ｂ）は、重なる部位における出射部６１からの出射光の輝度および重なる部位の面積と指針３の回動位置との関係を説明するための模式的グラフ図である。
【符号の説明】
【００７１】
１  コンビネーションメータ（指針計器）
２  文字盤、２１  文字、２２  目盛、２３  開口部
３  指針、３１  受光部、３２  反射部、３３  遮光キャップ
４  ムーブメント（回動内機）、４１  シャフト（指針シャフト）
５  発光ダイオード（光源）、６  導光部、６１  出射部、６２  円筒部、６３  反射部
７  ケース、８  プリント基板、９  制御装置、１０  速度センサ
１１  イグニッションスイッチ、１２  バッテリ
【図１】
2008008715.tif 000003
【図２】
2008008715.tif 000004
【図３】
2008008715.tif 000005
【図４】
2008008715.tif 000006
【図５】
2008008715.tif 000007
【図６】
2008008715.tif 000008
【図７】
2008008715.tif 000009